(57)【要約】    【課題】  おやすみタイマー運転を行い停止した後も継続的に室温の監視を行い、特定の条件を満足した場合に再運転を行う、従来のおやすみ運転制御は、就寝中の在室者にとって、暑過ぎたり、寒過ぎたりして、かえって安眠を妨げてしまう場合があるという課題を有していた。    【解決手段】  タイマーにより設定された時間運転を行い（Ｓ３）、運転終了後室温が予め決められた温度範囲以上の変動があった場合に再度運転を開始する再運転機能（Ｓ１１）を備えた空気調和機において、前記タイマーによる運転が終了した後、室温が前記予め決められた温度範囲以内にあるときに運転ボタンの操作により運転が再開された場合（Ｓ８）、次回から再運転の開始時期を早め（Ｓ９）、前記室温が予め決められた温度範囲以上の変動があった場合に再度運転を開始する再運転機能による運転中に停止ボタンの操作により運転が停止された場合（Ｓ１３）、次回から再運転の開始時期を遅らせる（Ｓ１４）制御機能を備えた。【選択図】  図４
2005201579.tif 000002
【特許請求の範囲】
【請求項１】
タイマーにより設定された時間運転を行い、運転終了後室温が予め決められた温度範囲以上の変動があった場合に再度運転を開始する再運転機能を備えた空気調和機において、前記タイマーによる運転が終了した後、室温が前記予め決められた温度範囲以内にあるときに運転ボタンの操作により運転が再開された場合、次回から再運転の開始時期を早め、前記室温が予め決められた温度範囲以上の変動があった場合に再度運転を開始する再運転機能による運転中に停止ボタンの操作により運転が停止された場合、次回から再運転の開始時期を遅らせる制御機能を備えた空気調和機。
【請求項２】
請求項１において、設定温度を補正することにより、前記再運転の開始時期を早め、若しくは遅らせるようにした空気調和機。
【発明の詳細な説明】
【技術分野】
【０００１】
本発明は空気調和機に係り、特にタイマーによる運転停止機能に関する。
【背景技術】
【０００２】
おやすみタイマーにより設定された所定の時間だけ、おやすみタイマー運転を行い停止した後も継続的に室温の監視を行い、特定の条件を満足した場合に再運転を行う空気調和機の制御方式が、特許文献１に開示されている。すなわち、あらかじめ用意された複数のおやすみパターンの中から、その時の条件に応じた最適なパターンを選択する、あるいは室温と設定温度の偏差が特定の値以上の時に、空気調和機の運転・停止を繰り返す監視運転を行う制御方式が開示されている。
【０００３】
【特許文献１】特開平７−１９５６４号公報
【発明の開示】
【発明が解決しようとする課題】
【０００４】
しかしながら、上記特許文献１に記載の制御方式では再運転の開始温度条件および再運転時の設定温度が固定のパターンであるため、善かれと思って行った再運転が就寝中の在室者にとって、暑過ぎたり、寒過ぎたりして、かえって安眠を妨げる結果となっている場合があるという課題を有していた。
【０００５】
この問題に鑑み、本発明の目的は、より快適なお休み運転を提供することにある。
【課題を解決するための手段】
【０００６】
上記目的は、タイマーにより設定された時間運転を行い、運転終了後室温が予め決められた温度範囲以上の変動があった場合に再度運転を開始する再運転機能を備えた空気調和機において、前記タイマーによる運転が終了した後、室温が前記予め決められた温度範囲以内にあるときに運転ボタンの操作により運転が再開された場合、次回から再運転の開始時期を早め、前記室温が予め決められた温度範囲以上の変動があった場合に再度運転を開始する再運転機能による運転中に停止ボタンの操作により運転が停止された場合、次回から再運転の開始時期を遅らせる制御機能を備えることにより達成される。
【発明の効果】
【０００７】
再運転の設定温度が、在室者の好みの温度に近づいてくるため、より快適なお休み運転を提供することができる。
【発明を実施するための最良の形態】
【０００８】
以下に本発明の一実施例を図１〜図４を参照しながら詳細に説明する。
【０００９】
本発明の一例のタイムチャートを図１に、課題を解決するための手段を図２に、フローチャートを図３、図４に示す。
【００１０】
温度センサーにより室内温度を検出する室内温度検出手段（１１）と、目標の温度を設定する設定温度設定手段（１２）と、前記、室内温度と設定温度との関係より空気調和機の運転状態を制御する運転状態設定手段（１３）と、所定の運転時間を設定するタイマー設定手段（１４）と、前記、タイマー設定手段により設定された時間だけ、おやすみ運転を実行する、おやすみ運転手段（１５）を設けることで、リモコンからの、おやすみタイマー設定操作により、おやすみタイマー運転（１）を開始する。
【００１１】
時間経過によりおやすみタイマーがタイムアップすると自動的に運転を停止し、室温監視期間に入る。おやすみ運転停止後も引き続き室温の変動を監視する室温変動監視手段（２１）と、前記、室温変動を監視した結果、再運転条件成立時に再運転時間だけ運転を再開する、おやすみ再運転手段（２２）により、おやすみ再運転（２）が実施される。
【００１２】
前記、室温変動を監視している期間、または、おやすみ再運転実行中に在室者がリモコン操作をした場合、その操作内容から在室者が“暑がり”か“寒がり”かといった個人差の情報を取得するための個人差情報取得手段（３１）と、前記、個人差情報から次回のおやすみ運転時にその傾向を反映させて適切なタイミングで、おやすみ運転が再開できるようにするため、おやすみ再運転の判定温度を調整する判定温度補正手段（３２）と、おやすみ再運転時に適切な設定温度となるように目標の温度を調整する設定温度補正手段（３３）とを設けることにより、おやすみ学習制御（３）を可能とする。
【００１３】
具体的には、おやすみタイマー運転停止後の室温変動の監視中に室温が上昇し、在室者が寝苦しくて起きてしまい、リモコンにより、運転開始、または室温ダウンの操作を行った場合に、“暑がり”と判断し、再運転判定温度と設定温度補正値をそれぞれ１ステップ“マイナス”する＜“暑がり”補正＞を実施する。また、おやすみ再運転中に、室温が低下し、在室者が寒いと感じて起きてしまい、リモコンにより、運転停止、または室温アップの操作を行った場合に、“寒がり”と判断し、再運転判定温度と設定温度補正値をそれぞれ１ステップ“プラス”する
＜“寒がり”補正＞を実施し、次回の運転に反映させる。
【００１４】
前記、＜“暑がり”補正＞と＜“寒がり”補正＞を必要に応じて行うことにより、在室者にとって最適な運転パターンを学習することができる。
【００１５】
次に、本発明の処理手順を図３、図４に示したフローチャートを用いて説明する。先ず図３のステップＳ１において、リモコンから、おやすみタイマー設定有りの指令を待ち、設定有りの指令を受信したらステップＳ２に進み、
おやすみタイマー運転を開始する。次にステップＳ３で、おやすみ設定時間が経過するのを待ち、おやすみ時間が経過したらステップＳ４に進み、おやすみタイマー運転を停止し、ステップＳ５の室温監視期間を開始する。
【００１６】
図４のステップＳ５の室温監視期間では、先ずステップＳ６で再運転条件が成立しているか確認し、成立していない時は、ステップＳ７にて、室温監視時間を確認し、監視時間が経過した場合は、ステップＳ１８に進み、室温監視期間を終了する。ステップＳ７にて、室温監視時間が未経過の場合は、ステップＳ８に進み、リモコン操作の有無を確認し、運転キーを受信した場合は、ステップＳ９の暑がり補正を行ない、ステップＳ１８に進み室温監視期間を終了する。また、ステップＳ８において室温ダウンキーを受信した場合もステップＳ１０で暑がり補正を行ない再度、ステップＳ６の再運転条件成立の確認処理に戻る。
【００１７】
同様に、ステップＳ８において、その他キーを受信した場合は、暑がり補正は行なわずに、ステップＳ６の再運転条件成立の確認に戻る。ステップＳ６において、再運転条件が成立した場合はステップＳ１１のおやすみ再運転実行の処理を行いステップＳ１２で、おやすみ再運転時間の経過を確認し、経過時にステップＳ１６で、おやすみ再運転を停止し、ステップＳ１７の室温監視時間経過の確認を行い、時間経過時にステップＳ１８にて室温監視期間を終了する。ステップＳ１７において室温監視時間未経過の場合は、ステップＳ６に戻る。また、ステップＳ１２において、おやすみ再運転時間が未経過の場合、ステップＳ１３へ進み、リモコン操作の有無を確認し、停止キーを受信した場合は、ステップＳ１４の寒がり補正を行い、ステップＳ１８に進み室温監視期間を終了する。また、ステップＳ１３において、室温アップキーを受信した場合も、ステップＳ１５の寒がり補正を行い再度、ステップＳ１２のおやすみ再運転時間経過の確認処理に戻る。
【００１８】
同様にステップＳ１３において、その他のキーを受信した場合は、寒がり補正は行わずに、ステップＳ１２のおやすみ再運転時間経過の確認処理へ戻る。
【００１９】
上記、ステップＳ１８の室温監視期間終了の実行で一連のおやすみ運転の処理は終了する。
【００２０】
以上本実施例によれば、日々のおやすみ運転を繰り返すごとに在室者毎の“暑がり”または“寒がり”といった個人差を学習することができるので、例えば在室者が“暑がり”の場合では、再運転を開始する温度と、再運転時の設定温度を低めに設定することで、おやすみタイマー運転後、室温の監視期間に入った際に在室者が暑くて寝苦しいと感じて起きてしまう前に、適切な設定温度で再運転が実行されるようになる。また、在室者が“寒がり”の場合では、再運転を開始する温度と、再運転時の設定温度を高めに設定することで、再運転時に寒くなりすぎて起きてしまうことも無くなるし、無駄な再運転を行うことも無くなるため、就寝中の在室者にとって、暑過ぎたり、寒過ぎたりすることなく、省エネで体に優しい、快適なおやすみ運転を提供することができる。
【図面の簡単な説明】
【００２１】
【図１】本発明の空気調和機の制御方式による、おやすみタイマー運転の一例を示すタイムチャートである。
【図２】同制御方式の一実施例における、課題を解決するために講じた手段を示すブロック図である。
【図３】同制御方式の一実施例における、おやすみタイマー運転の処理手順を示すフローチャートである。
【図４】同制御方式の一実施例における、おやすみタイマー運転の処理手順を示すフローチャートである。
【符号の説明】
【００２２】
１…おやすみタイマー運転、２…おやすみ再運転、３…おやすみ学習制御、１１…室内温度検出手段、２１…室温変動監視手段、１２…設定温度設定手段、２２…おやすみ再運転手段、１３…運転状態設定手段、３１…個人差情報取得手段、１４…タイマー設定手段、３２…判定温度補正手段、１５…おやすみ運転手段、３３…設定温度補正手段。
【図１】
2005201579.tif 000003
【図２】
2005201579.tif 000004
【図３】
2005201579.tif 000005
【図４】
2005201579.tif 000006